(57)【要約】  【課題】デッドスペースを有効に利用して、防災その他の目的で備蓄しておく種々のストック品を見栄えよく収納しておくことができる収納家具を提供する。  【解決手段】収納物Ｇを載置可能なベース１と、このベース１上に形成される収納空間ＳＳの少なくとも前面側及び側面側を覆う移動可能な隠蔽体２と、この隠蔽体２に設けられ前記ベース１に当接して当該隠蔽体２の位置決めを行う位置決め手段とを具備してなる構成の収納家具Ｓを採用する。【選択図】図２
2020048780.tif 000002
【特許請求の範囲】
【請求項１】
収納物を載置可能なベースと、このベース上に形成される収納空間の少なくとも前面側及び側面側を覆う移動可能な隠蔽体と、この隠蔽体に設けられ前記ベースに当接して当該隠蔽体の位置決めを行う位置決め手段とを具備してなる収納家具。
【請求項２】
前記隠蔽体は、前記収納空間の前面側を覆う前面板と、この前面材の両側端に連設され前記収納空間の両側面側を覆う対をなす側面板とを備えたものであり、前記前面板の底部にキャスタが設けられている請求項１記載の収納家具。
【請求項３】
前記前面板の下面の高さ位置が、前記側面板の接地面よりも高位置に設定されている請求項２記載の収納家具。
【請求項４】
前記位置決め手段が、前記前面板と前記側面板により形成される入隅に固設された位置決め部材を備えたものであり、前記位置決め部材が前記ベースの前面に当接することにより前記隠蔽体の前記ベースに対する前後方向の位置決めが成され得るように構成されている請求項１、２又は３記載の収納家具。
【請求項５】
前記隠蔽体が、上部に当該隠蔽体を前傾させるための手掛け部を備えている請求項２、３又は４記載の収納家具。
【請求項６】
床面と天板の下面との間に配設される収納家具であって、
前記隠蔽体の前面板が、その上縁と前記天板との間に手を挿入可能な隙間が形成され得る高さ寸法に設定されたものである請求項１、２、３、４又は５記載の収納家具。
【請求項７】
前記側面板が、前記隠蔽体を前傾させつつ天板下に装脱し得る形状寸法に設定されたものである請求項６記載の収納家具。
【発明の詳細な説明】
【技術分野】
【０００１】
本発明は、ストック品等を収納しておくのに好適な収納家具に関する。
【背景技術】
【０００２】
近時のオフィス等においては、水等のストック品を防災その他の目的で備蓄しておくことが少なくない。従来、この種のストック品は、例えば壁際に積み上げて保管されているが、置く位置が特定されていないため乱雑になり易く、見栄えが悪くなりがちである。
【０００３】
かかるストック品は、通常の保管庫（例えば、非特許文献１を参照）に収納しておくことも勿論可能であるが、かかる保管態様によると頻繁に使用しないストック品を収納したために書類収納等のための本来のスペースが狭められるという不具合があり、何らかの対策が望まれている。
【先行技術文献】
【非特許文献】
【０００４】
【非特許文献１】“Ｓ−Ｄ３６０５”，コクヨ総合カタログ２０１８年版ファニチャー編，コクヨ株式会社，平成２９年１２月，ｐ．５９１
【発明の概要】
【発明が解決しようとする課題】
【０００５】
本発明は、デッドスペースを有効に利用して種々のストック品等を見栄えよく収納しておくことができる収納家具を提供することを目的としている。
【課題を解決するための手段】
【０００６】
請求項１記載の発明に係る収納家具は、収納物を載置可能なベースと、このベース上に形成される収納空間の少なくとも前面側及び側面側を覆う移動可能な隠蔽体と、この隠蔽体に設けられ前記ベースに当接して当該隠蔽体の位置決めを行う位置決め手段とを具備してなるものである。
【０００７】
請求項２記載の発明に係る収納家具は、請求項１記載のものにおいて、前記隠蔽体が、前記収納空間の前面側を覆う前面板と、この前面材の両側端に連設され前記収納空間の両側面側を覆う対をなす側面板とを備えたものであり、前記前面板の底部にキャスタが設けられているものである。
【０００８】
請求項３記載の発明に係る収納家具は、請求項２記載のものにおいて、前記前面板の下面の高さ位置が、前記側面板の接地面よりも高位置に設定されているものである。
【０００９】
請求項４記載の発明に係る収納家具は、請求項１、２又は３記載のものにおいて、前記位置決め手段が、前記前面板と前記側面板により形成される入隅に固設された位置決め部材を備えたものであり、前記位置決め部材が前記ベースの前面に当接することにより前記隠蔽体の前記ベースに対する前後方向の位置決めが成され得ように構成されているものである。
【００１０】
請求項５記載の発明に係る収納家具は、請求項２、３又は４記載のものにおいて、前記隠蔽体が、上部に当該隠蔽体を前傾させるための手掛け部を備えているものである。
【００１１】
請求項６記載の発明に係る収納家具は、請求項１、２、３、４又は５記載のものにおいて、床面と天板の下面との間に配設される収納家具であって、前記隠蔽体の前面板が、その上縁と前記天板との間に手を挿入可能な隙間が形成され得る高さ寸法に設定されたものである。
【００１２】
請求項７記載の発明に係る収納家具は、請求項６記載のものにおいて、前記側面板が、前記隠蔽体を前傾させつつ天板下に装脱し得る形状寸法に設定されたものである。
【発明の効果】
【００１３】
本発明によれば、デッドスペースを有効に利用して種々のストック品等を見栄えよく収納しておくことができる収納家具を提供することができる。
【図面の簡単な説明】
【００１４】
【図１】本発明の一実施形態に係る収納家具の使用状態を示す斜視図。
【図２】同実施形態に係る収納家具の使用状態を示す斜視図。
【図３】同実施形態に係る収納家具を示す前面側斜視図。
【図４】同実施形態に係る収納家具を示す背面側斜視図。
【図５】同実施形態に係る収納家具を示す正面図。
【図６】同実施形態に係る収納家具を示す左側面図。
【図７】同実施形態に係る収納家具を示す平面図。
【図８】同実施形態に係る収納家具を示す背面図。
【図９】図５におけるＡ−Ａ線に沿った拡大断面図。
【図１０】同実施形態に係る収納家具の使用方法を示す説明図。
【発明を実施するための形態】
【００１５】
以下、本発明の一実施形態を、図１〜図１０を参照しつつ説明する。
【００１６】
この実施形態は、本発明にかかる収納家具Ｓを、キッチンカウンターＫの天板Ｋ４の下方に形成されるデッドスペースに配置した場合のものである。
【００１７】
キッチンカウンターＫは、オフィスの共用スペース等に設置されるもので、図１及び図２に示すように、左右のエンドパネルＫ２間に、二組のカウンターユニットＫ１を直列に配置したものである。各カウンターユニットＫ１は、前面が幕板Ｋ７により閉塞された中空体状の下の支持構造体Ｋ３と、この下の支持構造体Ｋ３上に反使用端側を支持させたカウンター天板Ｋ４と、このカウンター天板Ｋ４の反使用端側に載設された上の支持構造体Ｋ５と、この上の支持構造体Ｋ５上に配設された棚Ｋ６とを備えたものである。
【００１８】
このようなキッチンカウンターＫはオフィスの床面Ｆ上に設置されたものであり、この床面Ｆとカウンター天板Ｋ４の下面Ｋ４ａとの間に、例えば、２台の収納家具Ｓが配置されている。
【００１９】
収納家具Ｓは、図１〜図１０に示すように、収納物たるストック品Ｇを載置可能なベース１と、このベース１上に形成される収納空間ＳＳの前面側及び側面側を覆う移動可能な隠蔽体２と、この隠蔽体２に設けられ前記ベース１に当接して当該隠蔽体２の位置決めを行う位置決め手段３とを具備してなる。
【００２０】
ベース１は、例えば、平面視長方形状をなす木製平板状のもので、下面に複数の接地体１１を備えている。このベース１は、図２及び図１０に示すように、後端１ａをキッチンカウンターＫの下の支持構造体Ｋ３の前面Ｋ３ａに当接させて床面Ｆ上に配置されている。
【００２１】
隠蔽体２は、図１〜図１０に示すように、収納空間ＳＳの前面側を覆う前面板４と、この前面板４の両側端に連設され前記収納空間ＳＳの両側面側を覆う対をなす側面板５とを備えたものであり、前記前面板４の底部に左右対をなすキャスタ６が設けられている。これらのキャスタ６は、隠蔽体２を主として前後方向に移動させるためのものである。
【００２２】
詳述すれば、前面板４は、例えば、主に図３〜図８に示すように、正面視四角形状をなす木製平板状のもので、その下端における左右両端部分にキャスタ６が設けられている。なお、前面板４の下面４ａの高さ位置は、図６、図８及び図９に示すように、後述する側面板５の接地面５ａ１よりも高位置に設定されている。また、前面板４の高さ寸法すなわち上下方向寸法Ｈ１は、図１０に示すように、キャスタ６を取付けた状態において、その上縁４ｂとカウンター天板Ｋ４との間に手を挿入可能な隙間ＳＰが形成され得る値に設定されている。そして、この隠蔽体２の上部、すなわち、前面板４の上縁部内面側には、図４、図８及び図９に示すように、隠蔽体２を前傾させるための手掛け部４１が設けられている。
【００２３】
側面板５は、例えば、側面視略四角形状をなす木製平板状のもので、その前端は前面板４の左右方向端部の内面に図示しないダボと接着剤等を用いて剛結されている。側面板５の下端５ａは、主に図３、図４、図６及び図９に示すように、前部が後部よりも高くなる段形状をなしており、下端５ａの前部は前面板４の下端（本実施形態では下面４ａ）と合致させてある。下端５ａの後部は接地面５ａ１を構成するもので、接地状態で床面Ｆに接地する。左右両側面板５間の離間距離、すなわち、隠蔽体２の左右方向の内法寸法Ｗ２は、図８に示すように、ベース１の左右方向の外法寸法Ｗ１よりも若干大きく設定してある。なお、両側面板５は、隠蔽体２を前傾させつつ天板Ｋ４下に装脱し得る形状寸法に設定されている。具体的には、この実施形態の場合、図９に示すように、側面板５の奥行寸法Ｄ２をベース１の奥行寸法Ｄ１の半分以下の値に設定しておき、隠蔽体２を必要な角度だけ前傾させても、隙間ＳＰの存在により当該側面板５の後端５ｂがカウンター天板Ｋ４に干渉しないように設定されている。隠蔽体２の前傾可能角度を大きくしたい場合には、側面板５の奥行寸法を小さくしたり、側面板５の後端５ｂにカウンター天板Ｋ４との干渉を避けるための切除部を設けたり、側面板５の上端５ｃに後方に向かって漸次降下する方向の傾斜をつけたりすればよい。
【００２４】
位置決め手段３は、例えば、図４、図７、図８及び図９に示すように、前面板４と側面板５とにより形成される入隅に固設された位置決め部材７を備えたものであり、位置決め部材７が前記ベース１の前面１ｂに当接することにより隠蔽体２のベース１に対する前後方向の位置決めが成されるようになっている。位置決め部材７は、例えば、木製角材等により作られたもので、前面板４及び側面板５に剛結されている。また、隠蔽体２のベース１に対する左右方向の位置決めは、ベース１の前半部分に両側面板５を外嵌させることにより行われている。この実施形態の場合には、隠蔽体２の前部のみにキャスタ６が設けられているため、後端側を浮かせつつ前傾姿勢（Ｔ）で隠蔽体２をベース１に外嵌させるようになっている。
【００２５】
この実施形態では、図１に示すように、キッチンカウンターＫのカウンター天板Ｋ４の下に、以上説明した収納家具Ｓを２台左右に並べて配置しており、各収納家具Ｓの隠蔽体２間には、適正な目地的隙間が形成されるようにベース１が床面Ｆ上に置かれている。
【００２６】
以上説明した収納家具Ｓを使用するにあたっては、まず、収納空間ＳＳを確保したい位置にベース１を配置する。この実施形態では、ベース１をカウンター天板Ｋ４の下方に位置する床面Ｆ上に置きならべる。この際、ベース１の後端１ａをキッチンカウンターＫに当接させれば、複数のベース１を整然と並べることができる。そして、各ベース１上に図示しない台車等により運搬してきた保管すべきストック品Ｇを載置する。そして、図１０の（ａ）の想像線に示すように、隠蔽体２を前傾姿勢（Ｔ）でベース１方向すなわち同図の矢印Ｘ方向に移動させ、図１０の（ｂ）に示すようにこの隠蔽体２を当該ベース１に外嵌させることで保管作業が完了する。すなわち、前傾姿勢（Ｔ）の隠蔽体２をキャスタ６によりベース１に接近する方向に移動させる。そして、隠蔽体２の位置決め部材７がベース１の前端すなわち前面１ｂに当接した段階でその前傾姿勢（Ｔ）を解除すれば、隠蔽体２がベース１に対して前後左右に位置決めされた状態でセットされ、図１０の（ｂ）に示すように収納空間ＳＳが隠蔽される。具体的には、位置決め部材７のベース１への当接により隠蔽体２の前後方向の位置決めがなされ、両側面板５のベース１に対する外嵌により隠蔽体２の左右方向のおおまかな位置決めがなされる。したがって、ベース１を所望の位置に正確に配置しておきさえすれば、隠蔽体２の位置も適切なものとなり、優れた外観を呈することになる。前傾姿勢（Ｔ）を解除した隠蔽体２は、側面板５が直接床面Ｆに接地しているため遊動することはなく、図１及び図１０の（ｂ）の実線に示すような安定したセット状態が維持される。収納されているストック品Ｇを取り出す場合には、隠蔽体２とカウンター天板Ｋ４との間に形成されている隙間ＳＰに手を入れて手掛け部４１に指をかけ、手前に牽引することにより図１０の（ｂ）の想像線に示すように隠蔽体２が前傾姿勢（Ｔ）となる。そのため、そのままキャスタ６を利用して当該隠蔽体２を手前に誘導すれば、ベース１上の収納空間ＳＳが前方に開放され、ストック品Ｇを自由に取り出せる状態となる。
【００２７】
このような構成のものであれば、所望のストック品Ｇを外部に露出させることなく整然と保管しておくことができ、必要な場合には簡単な操作により取り出すこともできる。また、このようなものであれば、隠蔽体２の高さを適宜設定するだけで種々のデッドスペースに配置することが可能である。
【００２８】
また、前面板４の底部にキャスタ６を設けておき、隠蔽体２を前傾させた場合だけ当該隠蔽体２を移動させることができるようにしておけば、格別なブレーキ等を設けなくても隠蔽体２を安定した状態でセットしておくことができる。この場合、前面板４の下面４ａの高さ位置を、前記側面板５の接地面５ａ１よりも高位置に設定しておけば、隠蔽体２を円滑に前傾させることが可能となる。
【００２９】
なお、以上説明した実施形態では、防災用のストック品を収納する場合について説明したが、収納する物品はどのようなものであってもよい。
【００３０】
また、設置場所もキッチンカウンターの天板下の空間に限らず、種々の場所に設置可能である。前記実施形態では、キッチン天板等の下に配置することを前提にしていたため、隠蔽体が前面板と側面板のみからなるものであったが、さらに上面板を有するものにする等、種々変形が可能である。しかしながら、前記実施形態のような隠蔽体であれば、構成が簡単で実施が容易であり、また、配置すべきスペースに応じて仕様を容易に変更することが可能になる。
【００３１】
さらに、隠蔽体を前傾させたり移動させたりするための手掛け部の構成も、前面板の上部に設けるものに限定されるものではなく、例えば、側面板の上部における前縁部分に切欠孔状の手掛け部を設ける等、種々変形が可能である。
【符号の説明】
【００３２】
Ｓ…収納家具
１…ベース
１ｂ…ベースの前面
２…隠蔽体
３…位置決め手段
４…前面板
４１…手掛け部
４ａ…前面板の下面
５…側面板
５ａ１…側面板の接地面
６…キャスタ
７…位置決め部材
ＳＳ…収納空間
ＳＰ…隙間
Ｇ…収納物（ストック品）
【図１】
2020048780.tif 000003
【図２】
2020048780.tif 000004
【図３】
2020048780.tif 000005
【図４】
2020048780.tif 000006
【図５】
2020048780.tif 000007
【図６】
2020048780.tif 000008
【図７】
2020048780.tif 000009
【図８】
2020048780.tif 000010
【図９】
2020048780.tif 000011
【図１０】
2020048780.tif 000012